(57)【特許請求の範囲】
【請求項１】
内部に＋極側の給電端子と−極側の給電端子とを備えた筐体内に出し入れ自在に収納される電池ケースであって、上方に開口する略箱状をして内部に電池が収納されるケース本体と、ケース本体の側壁の一部に設けられて内部に収納される電池の＋極に接触する＋極側の接触端子と、ケース本体の側壁の前記＋極側の接触端子と対向する位置に設けられ内部に収納される電池の−極に接触する−極側の接触端子と、電池ケースが筐体内に収納された時に筐体内の＋極側の給電端子と−極側の給電端子とにそれぞれ接続される＋極側の接続端子及び−極側の接続端子と、＋極側の接触端子と＋極側の接続端子とを連結する＋極側の中継導体と、−極側の接触端子と−極側の接続端子とを連結する−極側の中継導体と、を備え、前記＋極側の接触端子と＋極側の接続端子と＋極側の中継導体と−極側の接触端子と−極側の接続端子と−極側の中継導体とは、平面視において電池の＋極と−極とを結ぶ線上に位置し、且つ、一方の中継導体がケース本体の底壁の下面に位置していることを特徴とする電池ケース。
【請求項２】
ケース本体の底壁の下面に一方の極側の中継導体を沿わせると共に、該一方の極側の中継導体が底壁の下面から離れないようにする抜け止め手段を備えて成ることを特徴とする請求項１記載の電池ケース。
【請求項３】
抜け止め手段として、一方の極側の中継導体の長手方向に沿う両側の端縁に間隔をあけて複数の切欠を形成するとともに、底壁の下面に前記切欠に対応するように、一方の極側の中継導体の長手方向に沿う両側の端縁の外側から一方の極側の中継導体の内部に向けて突出して一方の極側の中継導体の下面を押さえる押さえ片を設けて成ることを特徴とする請求項２記載の電池ケース。
【請求項４】
一方の極側の中継導体を側壁の部分で側壁の外面に沿って折り曲げるとともに側壁の外面の途中で側壁から離れる方に折り曲げて、側壁から離れる方に突出する部分を一方の極側の接続端子とし、側壁の外面に、一方の極側の接続端子の上面に当接する当接片と、当接片の一方の極側の接続端子の長手方向に沿う両側の端縁から下方に突出する略Ｌ字状をして一方の極側の接続端子の長手方向に沿う両側の端縁の下面を保持する保持片とを設け、一方の極側の接続端子の一部を一方の極側の中継導体側を基部として一方の極側の中継導体と反対側を切り起こして係止部を形成し、当接片の一部を開口して被係止部を形成し、一方の極側の接続端子を当接片の下面に沿って側壁の外面に近づけていくと、一方の極側の中継導体が側壁の外面に沿った時に係止部が被係止部に係止されることを特徴とする請求項３記載の電池ケース。
【請求項５】
一方の極側の中継導体の下面にカバーを設けて成ることを特徴とする請求項１乃至４のいずれか一項に記載の電池ケース。
【発明の詳細な説明】
【技術分野】
【０００１】
本発明は、電池ケースに関し、特に加熱調理器に用いられる電池ケースに関するものである。
【背景技術】
【０００２】
近年、加熱調理器にあっては、従来のように手動で加熱量の調節を行いながら調理を行うのではなく、自動で調理を行うものが普及している。
【０００３】
加熱調理器は、筐体内に、こんろバーナを有する加熱部と、こんろバーナでの加熱の開始／加熱量の調節／加熱の停止を制御する制御部と、こんろバーナの加熱の開始／加熱の停止の指令を制御部に与えるための加熱／停止手動操作部と、自動で加熱量の調節／加熱の停止を制御して調理を行わせるための自動調理設定操作部と、を備え、揚げもの、湯わかし、炊飯等の自動調理や、タイマー機能を用いた調理が可能となっている。
【０００４】
上述した制御部はマイクロコンピュータからなり、電力を供給されて駆動するのであるが、その電源は商用電源かあるいは筐体内に収納される電池であり、以下、電池の場合について説明する。
【０００５】
電池は、加熱調理器の筐体内に出し入れ自在に収納される電池ケースに収納される。電池ケースは、上方に開口する略矩形箱状をしており、内部に電池が収納された時に電池の＋極と−極とにそれぞれ接触する＋極側の接触端子と−極側の接触端子とが設けてある。また電池ケースには、電池ケースが加熱調理器の筐体内に収納された時に、筐体内の＋極側の給電端子と−極側の給電端子とにそれぞれ接続される＋極側の接続端子と−極側の接続端子とが設けてある。そして、＋極側の接触端子と＋極側の接続端子とを＋極側の中継導体により連結し、−極側の接触端子と−極側の接続端子とを−極側の中継導体により連結してある。＋極側および−極側において、接触端子と接続端子とこれらを連結する中継導体は、薄い導体板を打ち抜いて曲げ加工して一体に形成してある。
【０００６】
ところで、上記のような電池ケースとして、例えば特許文献１に記載されているものがある。
【０００７】
この電池ケースは、上方に開口する略矩形箱状をしたケース本体の一側壁に、−極側の接触端子となるばねが取り付けられた−極側の接続端子を設け、該−極側の接触端子を設けた側壁と対向する側壁に＋極側の接触端子を設けると共に、前記−極側の接触端子を設けた側壁に該−極側の接触端子と間隔をあけて＋極側の接続端子を設け、＋極側の接触端子と＋極側の接続端子とを連結する＋極側の中継導体を、−極側の接触端子を設けた側壁と＋極側の接触端子を設けた側壁との間の一側壁に沿って設けてある。
【先行技術文献】
【特許文献】
【０００８】
【特許文献１】特開平１１−１７６４０１号公報
【発明の概要】
【発明が解決しようとする課題】
【０００９】
しかしながらこのものにあっては、＋極側の通電部材は展開形状が略コ字状をしており、導体板を打ち抜いて形成する際の材料取りの効率が悪くなってしまい、材料の無駄が大きくなってしまう、という問題があった。
【００１０】
本発明は上記従来の問題点に鑑みて発明したものであって、その目的とするところは、導体板を打ち抜いて通電部材を形成する際に材料取りの効率が良く材料の無駄を抑えることができる電池ケースを提供することを課題とするものである。
【課題を解決するための手段】
【００１１】
上記課題を解決するために、請求項１に係る発明は、内部に＋極側の給電端子と−極側の給電端子とを備えた筐体１０内に出し入れ自在に収納される電池ケース１３であって、上方に開口する略箱状をして内部に電池が収納されるケース本体８０と、ケース本体８０の側壁８０ｂの一部に設けられて内部に収納される電池の＋極に接触する＋極側の接触端子８１と、ケース本体８０の側壁８０ａの前記＋極側の接触端子８１と対向する位置に設けられ内部に収納される電池の−極に接触する−極側の接触端子８２と、電池ケース１３が筐体１０内に収納された時に筐体１０内の＋極側の給電端子と−極側の給電端子とにそれぞれ接続される＋極側の接続端子８３及び−極側の接続端子８４と、＋極側の接触端子８１と＋極側の接続端子８３とを連結する＋極側の中継導体８５と、−極側の接触端子８２と−極側の接続端子８４とを連結する−極側の中継導体８６と、を備え、前記＋極側の接触端子８１と＋極側の接続端子８３と＋極側の中継導体８５と−極側の接触端子８２と−極側の接続端子８４と−極側の中継導体８６とは、平面視において電池の＋極と−極とを結ぶ線上に位置し、且つ、一方の中継導体８５又は８６がケース本体８０の底壁８０ｃの下面に位置していることを特徴とする。
【００１２】
請求項２に係る発明は、請求項１に係る発明において、ケース本体８０の底壁８０ｃの下面に一方の極側の中継導体（８５又は８６）を沿わせると共に、該一方の極側の中継導体（８５又は８６）が底壁８０ｃの下面から離れないようにする抜け止め手段を備えて成ることを特徴とする。
【００１３】
請求項３に係る発明は、請求項２に係る発明において、抜け止め手段として、一方の極側の中継導体（添付図面の実施形態では８５）の長手方向に沿う両側の端縁に間隔をあけて複数の切欠８８を形成するとともに、底壁８０ｃの下面に前記切欠８８に対応するように、一方の極側の中継導体（８５）の長手方向に沿う両側の端縁の外側から一方の極側の中継導体（８５）の内部に向けて突出して一方の極側の中継導体（８５）の下面を押さえる押さえ片８９を設けて成ることを特徴とする。
【００１４】
請求項４に係る発明は、請求項３に係る発明において、一方の極側の中継導体（８５）を側壁８０ａの部分で側壁８０ａの外面に沿って折り曲げるとともに側壁８０ａの外面の途中で側壁８０ａから離れる方に折り曲げて、側壁８０ａから離れる方に突出する部分を一方の極側の接続端子（８３）とし、側壁８０ａの外面に、一方の極側の接続端子（８３）の上面に当接する当接片９０と、当接片９０の一方の極側の接続端子（８３）の長手方向に沿う両側の端縁から下方に突出する略Ｌ字状をして一方の極側の接続端子（８３）の長手方向に沿う両側の端縁の下面を保持する保持片９１とを設け、一方の極側の接続端子（８３）の一部を一方の極側の中継導体（８５）側を基部として一方の極側の中継導体（８５）と反対側を切り起こして係止部９３を形成し、当接片９０の一部を開口して被係止部９４を形成し、一方の極側の接続端子（８３）を当接片９０の下面に沿って側壁８０ａの外面に近づけていくと、一方の極側の中継導体（８５）が側壁８０ａの外面に沿った時に係止部９３が被係止部９４に係止されることを特徴とする。
【００１５】
請求項５に係る発明は、請求項１乃至４のいずれかに係る発明において、一方の極側の中継導体（８５）の下面にカバー９５を設けて成ることを特徴とする。
【発明の効果】
【００１６】
請求項１に係る発明においては、＋極側の接触端子と＋極側の接続端子と＋極側の中継導体とからなる＋極側の通電部材と、−極側の接触端子と−極側の接続端子と−極側の中継導体とからなる−極側の通電部材はそれぞれ、展開形状が略直線状となり、導体板を打ち抜いて形成する際の材料取りの効率が良くなり、展開形状が略コ字状になったりする場合のように材料取りの効率が悪くて材料の無駄が大きくなってしまう、といったことがなく、かつ、一方の極側の中継導体がケース本体内に収納される電池と接触しないようにすることができる。
【００１７】
また、請求項２に係る発明においては、一方の極側の中継導体が底壁の下面から離れないようにすることができる。
【００１８】
また、請求項３に係る発明においては、簡単な構造で一方の極側の中継導体が底壁の下面から離れないようにすることができる。
【００１９】
また、請求項４に係る発明においては、一方の極側の接続端子を当接片の下面に沿って側壁の外面に近づけていく際に、係止部が被係止部に係止されて、一方の極側の中継導体及び一方の極側の接続端子が側壁の外面から離れる方に動かなくなり、抜け止めがなされる。
【００２０】
また、請求項５に係る発明においては、一方の極側の中継導体が金属と接触して短絡したりするのを防止することができる。
【図面の簡単な説明】
【００２１】
【図１】本発明の電池ケースが収納される加熱調理器の全体斜視図である。
【図２】こんろ用の調理設定部の正面図である。
【図３】こんろバーナおよびグリルバーナへのガス供給の説明図である。
【図４】ガス弁ブロックの断面図である。
【図５】ガス弁ブロックの断面図であり、（ａ）はスライダが前位置にある場合、（ｂ）はスライダが後位置にある場合、（ｃ）はスライダが最後位置にある場合を示す。
【図６】こんろバーナの断面図である。
【図７】制御回路の構成図である。
【図８】同上の加熱調理器から電池ケースを引出した状態の全体斜視図である。
【図９】同上の電池ケースを示し、（ａ）は平面図であり、（ｂ）は側面図である。
【図１０】同上の電池ケースから＋極側の通電部材及びカバーを取り外した状態で下方より見た斜視図である。
【図１１】同上の＋極側の通電部材を示し、（ａ）は平面図であり、（ｂ）は側面図であり、（ｃ）は斜め上方から見た斜視図である。
【図１２】同上のケース本体への＋極側の通電部材の取り付けを説明する図であり、（ａ）は切欠と押さえ片の位置を合わせた状態の下面図であり、（ｂ）は切欠と押さえ片の位置がずれた状態の下面図である。
【発明を実施するための形態】
【００２２】
本発明の電池ケース１３は、図８に示すように加熱調理器の筐体１０内に出し入れ自在に収納されるもので、以下、加熱調理器として、こんろ部とグリルを備えたビルトイン型のガスこんろ１について、添付図面に基づいて説明する。
【００２３】
図１に示すように、ガスこんろ１の天面部を構成するトッププレート１１には複数の加熱部２が設けてある。本実施形態では図１に示すように、向かって左側および右側に加熱部２として高火力のこんろバーナ３１を備えたこんろ部２ａが設けてある。トッププレート１１の上面には各こんろバーナ３１を中心にして五徳２１が設けてあり、前記こんろバーナ３１と五徳２１と、点火装置２３及び点火検知装置２４（図３参照）とで、加熱部２としてのこんろ部２ａが構成される。
【００２４】
なお、点火装置２３は、入力回路（高圧トランスの１次側巻き線を含む）が一つに対して出力回路（高圧トランスの２次側巻き線）が各バーナの数だけ備えられ、一つの前記入力回路への通電により各々の前記出力回路（高圧トランスの２次側巻き線）に高電圧が発生し、各バーナの全てに点火用放電のための高電圧が供給される。
【００２５】
各こんろ部２ａには、図６に示すように、五徳２１上に載置される調理容器を検知する容器検知手段２５と、調理容器の下面の温度を検知する温度センサ２６とが設けてある。容器検知手段２５は、ガスこんろ１に固定される支持部２５ａと、支持部２５ａに上下方向に移動自在に支持される可動部２５ｂと、可動部２５ｂの上下位置を検知する検知スイッチ２５ｃと、で構成される。可動部２５ｂはばね等の付勢手段（図示せず）により上方に付勢され、その上端部は五徳２１よりも上方に突出する。この状態で五徳２１上に調理容器が載置されると、可動部２５ｂの上端部が調理容器の下面に押し下げられ、可動部２５ｂの下動に伴い検知スイッチ２５ｃにより下動が検知され、後述する制御部４に認識される。そして、可動部２５ｂの上端部に温度センサ２６が設けられ、調理容器が五徳２１上に載置された時に調理容器の下面に当接して温度を検知し、温度は制御部４に認識される。
【００２６】
またガスこんろ１には、図１に示すように、加熱部２としてのグリル２ｂが設けてある。グリル２ｂは、ガスこんろ１の本体内の中央部に形成されるグリル庫と、グリル庫内に設けられる加熱手段としてのグリルバーナ（図示せず）と、点火装置２３及び点火検知装置２４とで構成され、グリル庫２ｂの前端はガスこんろ１の前面部１２に開口していてグリル扉２８によって開閉自在に閉塞される。
【００２７】
点火装置２３は、イグナイタ（図示せず）で発生させる高圧パルスにより、こんろバーナ３１及びグリルバーナの燃料ガスの吐出口に設けられる点火プラグに放電を起こさせて点火するもので、イグナイタは制御部４により制御される。
【００２８】
点火検知装置２４は、こんろバーナ３１及びグリルバーナに設けられる熱電対からなるもので、点火されると火炎の熱により発生する熱起電力が制御部４に認識される。
【００２９】
グリル扉２８の両側には、図１に示すように、グリル扉２８とともにガスこんろ１の前面部１２を構成する前面パネルＰ１、Ｐ２が設けてあり、左側の前面パネルＰ１の上側には、左側のこんろバーナ３１を点火／消火するための点消火ボタン１４ａが設けてあり、右側の前面パネルＰ２の上側の左側より、グリルバーナを点火／消火するための点消火ボタン１４ｂ、右側のこんろバーナ３１を点火／消火するための点消火ボタン１４ｃとが設けてある。これら点消火ボタン１４（１４ａ〜１４ｃ）が、加熱部２での加熱の開始／加熱の停止を手動で行うための加熱／停止手動操作部となっている。また前面部１２には、各加熱部２の加熱量を手動で調節するための加熱量手動操作部となる火力調節レバー１５（１５ａ〜１５ｃ）がそれぞれ各点消火ボタン１４ａ〜１４ｃの上に設けてある。
【００３０】
ガス弁ブロック６は、図３、図４に示すように、器具栓本体６０に、内部のガス流路６１と、ガス流路６１の上流端となる導入口６１ａ及び下流端となる導出口６１ｂとが設けてある。内部のガス流路６１には、上流側より安全弁６２用の弁孔、メイン弁６３用の弁孔が設けてある。メイン弁６３用の弁孔の下流側は、大火用の流路６１ｃと小火用の流路６１ｄとが並列に設けてあり、大火用の流路６１ｃに大火力／小火力切替用のラッチ電磁弁ＬＢ１用の弁孔が設けてあり、小火用の流路６１ｄにラッチ電磁弁ＬＢ２用の弁孔が設けてある。
【００３１】
ラッチ電磁弁ＬＢ１の弁孔の下流側と、ラッチ電磁弁ＬＢ２の下流側に位置する小火用オリフィスｏｆ２の下流側で大火用の流路６１ｃと小火用の流路６１ｄとが合流し、さらにその下流側には、火力調節レバー１５と連動する流量制御弁６５用の弁孔が設けてある。
【００３２】
上述した容器検知手段２５により調理容器が検知されていない時に点消火ボタン１４を操作した場合に、制御部４によりラッチ電磁弁ＬＢ１及びラッチ電磁弁ＬＢ２が閉止されて、加熱を開始しないようにする容器検知制御が行われる。
【００３３】
また、ガス流路６１には、前記ラッチ電磁弁ＬＢ１及びラッチ電磁弁ＬＢ２を設けた部分をバイパスするバイパス流路ＢＰが設けてあり、このバイパス流路ＢＰにバイパス用オリフィスｏｆ１が設けてある。バイパス用オリフィスｏｆ１は、ガス弁ブロック６を複数器種で共用するために設けられるもので、ガス弁ブロック６を他の機種への応用において使用する時には開口される場合があるが、本実施例においては、バイパス用オリフィスｏｆ１は閉塞体（図示せず）により閉塞されている。
【００３４】
火力調節レバー１５を中火から大火の間の位置に設定しておいたときに、ラッチ電磁弁ＬＢ１とラッチ電磁弁ＬＢ２の開・閉の組み合わせに応じて、こんろバーナ３１の火力は下表の様に制御部により調整制御される。
【００３５】
【表１】
0005411628.tif 000002
なお、ラッチ電磁弁ＬＢ１、ＬＢ２は、開弁用の極性のパルス電流の通電により開放状態に移行し、その後は通電を停止した後にも開放状態を維持し、閉弁用の極性（開弁用とは逆極性）のパルス電流の通電により閉止状態に移行し、その後は通電を停止した後にも閉止状態を維持する。このとき電流のパルス幅は２００〜３００ｍ秒に設定されており、こんろの火力を種々の状態に維持する場合にも省電力であるから、機器の電源として乾電池が用いられる場合に特に好適に用いられる。
【００３６】
流量制御弁６５用の弁孔の下流側は、こんろバーナ３１にガスを供給するための導出口６１ｂに至る。
【００３７】
器具栓本体６０には、スライダ６６が前後方向に移動自在に取り付けてあり、スライダ６６は前端面が点消火ボタン１４に組み込まれたチャイルドロック用スライド部（図示せず）により後方に押圧されることで後退するようになっている。
【００３８】
チャイルドロック用スライド部が内部に組み込まれた点消火ボタン１４は、前後動自在に設けられるもので、前記点消火ボタン１４の指で押される部分よりも上側の部分がこんろ本体側に枢支されて指で押される部分が前後動し、スライダ６６の前端面を後方に押圧する。スライダ６６には、例えば既存のハート型カム等からなる前位置と後位置の切替機構（図示せず）が設けてあり、前記点消火ボタン１４を押し操作する毎に、スライダ６６が後位置から前進して前位置（図５（ａ）参照）に位置したり、前位置から後退して後位置（図５（ｂ）参照）に位置して、前位置と後位置とが切り替わって保持される。
【００３９】
また、スライダ６６の進退に伴って進退するバルブロッド６７が設けてある。バルブロッド６７の先端側はガス流路６１内に挿入され、その先端部は後方すなわち下流側より上流側に向けて、メイン弁６３用の弁孔と安全弁６２用の弁孔とに挿通されている。バルブロッド６７は、スライダ６６が前位置から後位置に切り替わる際、一旦後位置よりも後方の最後位置（図５（ｃ）参照）に後退してから後位置にまで前進するが、この最後位置に移動した時に、安全弁６２用の弁孔を上流側より閉止している安全弁６２の弁体を上流側に移動させて、安全弁６２用の弁孔を開放する。安全弁６２は電磁弁からなり、弁体が前方すなわち下流側に前進することで安全弁６２用の弁孔を後方より閉止し、弁体が後方すなわち上流側に後退することで安全弁６２用の弁孔を開放する。
【００４０】
安全弁６２は、点火検知装置２４により火炎が検知されている場合にのみ制御部４により開放状態が維持され、火炎が検知されなくなると制御部４による開放状態の維持が停止して閉止される。これにより、煮こぼれや風により立ち消えが起こって点火検知装置２４の火炎が検知されなくなった場合に、燃料ガスの流出が防止される。また、温度センサ２６により検知された調理容器の下面の温度が所定の温度（例えば２５０℃）に達すると、空焚きや焦げ付き等の異常が発生していると判定して、安全弁６２を閉止する。このように、安全弁６２、点火検知装置２４、温度センサ２６により異常検知手段が構成されている。
【００４１】
バルブロッド６７の途中には、メイン弁６３用の弁孔を開閉するメイン弁体が設けてある。そして、スライダ６６が前位置に位置している時にはメイン弁体がメイン弁６３用の弁孔を後方より閉止し、スライダ６６が後位置に位置している時にはメイン弁体がメイン弁６３用の弁孔より後方に位置してメイン弁６３用の弁孔を開放する。
【００４２】
流量制御弁６５用の弁孔は、火力調整用のニードル６５ａの前後方向の移動により開度が自在に調節される。ニードル６５ａは、火力調節レバー１５を操作することで、開度の調節がなされ、火力調節レバー１５が右に行く程、燃料ガスの供給量が多くなるように調節される。
【００４３】
点消火ボタン１４又はスライダ６６の位置によりＯＮ／ＯＦＦが切り替わる器具栓スイッチが設けてある。器具栓スイッチは、点消火ボタン１４（又はスライダ６６）が前位置に位置している時にはＯＦＦとなり、後位置（最後位置も含む）に位置している時にＯＮとなる。
【００４４】
こんろバーナ３１、グリルバーナの点火を行うには、点消火ボタン１４を押し操作して、スライダ６６を前位置から後位置に後退させる。スライダ６６とともに後退したバルブロッド６７により、安全弁６２が開放されると共にメイン弁６３が開放され、燃料ガスがこんろバーナ３１、グリルバーナに供給される。また、スライダ６６が後退することにより器具栓スイッチがＯＮとなり、制御部４への給電がＯＮとなって制御部４が動作を開始する。
【００４５】
図７に示すように、制御部４は、正極側の給電端子４１がトランジスタＴＲ１を介して電源の正極に接続され、負極側の給電端子４２が電源の負極に接続される。トランジスタＴＲ１はＰＮＰ型のトランジスタであって、そのエミッタが電源の正極に接続され、コレクタが制御部４の正極側の給電端子４１に接続され、ベースが、抵抗Ｒ２及び該抵抗Ｒ２とそれぞれ直列に接続される二つのトランジスタＴＲ２、ＴＲ３を介して電源の負極に接続され、エミッタとベースとの間に抵抗Ｒ１が接続される。
【００４６】
二つのトランジスタＴＲ２、ＴＲ３はＮＰＮ型のトランジスタであって、そのコレクタが抵抗Ｒ２を介してトランジスタＴＲ１のベースに接続され、エミッタが電源の負極に接続される。そして、トランジスタＴＲ２、ＴＲ３のベースはそれぞれ抵抗Ｒ３、Ｒ４を介して電源の負極に接続される。
【００４７】
更に、電源の正極とトランジスタＴＲ２のベースとの間に抵抗Ｒ５を介して、スイッチＳ（Ｓ１〜Ｓ５）とダイオードＤ（Ｄ１〜Ｄ５）とが直列に接続された線が複数並列に接続されるもので、電源の正極、各スイッチＳ、各ダイオードＤ、抵抗Ｒ５、トランジスタＴＲ２のベースの順に配設される。またトランジスタＴＲ３のベースは、抵抗Ｒ６を介して制御部４の電源保持信号出力端子Ｔ１に接続される。
【００４８】
そして、各線のスイッチＳとダイオードＤとの間の部分と、制御部４の各信号入力端子とが各抵抗Ｒ７を介して接続される。スイッチＳ１〜Ｓ３は器具栓スイッチで、Ｓ１は左こんろバーナ３１を備えたこんろ部２ａの器具栓スイッチＳ１であり、Ｓ２は右こんろバーナ３１を備えたこんろ部２ａの器具栓スイッチＳ２であり、Ｓ３はグリル２ｂの器具栓スイッチＳ３である。スイッチＳ４、Ｓ５は、タクトスイッチからなる容器検知解除スイッチＳ４、Ｓ５で、使用者が前面パネルＰ１に設けてあるこんろ用の調理設定部７の容器検知解除操作部１６（１６ａ、１６ｃ）を押し操作している間だけＯＮとなり、押し操作をやめるとＯＦＦとなる。これについては後述する。
【００４９】
いずれかの器具栓スイッチＳ１〜Ｓ３がＯＮになると、トランジスタＴＲ２にベース電流が流れてエミッタ−コレクタ間がＯＮとなり、トランジスタＴＲ１にベース電流が流れてエミッタ−コレクタ間がＯＮとなり、電源から制御部４に給電される。制御部４に給電されると、制御部４の電源保持信号出力端子Ｔ１から電源保持信号（Ｈｉｇｈ出力）が出力され、トランジスタＴＲ３にベース電流が流れてエミッタ−コレクタ間がＯＮとなり、トランジスタＴＲ１にベース電流が流れてエミッタ−コレクタ間がＯＮになる。電源保持信号が出力されている限り、制御部４への給電が継続される。このように、器具栓スイッチＳ１〜Ｓ３が、制御部４への給電をＯＮにする電源スイッチを兼ねている。
【００５０】
いずれかの器具栓スイッチＳ１〜Ｓ３がＯＮになると、制御部４が動作を開始し、器具栓スイッチＳ１〜Ｓ３、抵抗Ｒ７を介して制御部４の該当する信号入力端子に信号が入力され、いずれかの器具栓スイッチＳ１〜Ｓ３がＯＮになったかが検知される。制御部４は、器具栓スイッチＳ１〜Ｓ３がＯＮとなると全てのこんろバーナ３１、グリルバーナの点火装置２３を作動させて連続放電を起こし、安全弁６２のコイルに通電することにより安全弁６２の開放が所定時間（例えば５秒）確保される。点火検知装置２４により点火が検知されると安全弁６２の開放が維持される。
【００５１】
点火検知装置２４により点火が検知されない場合には安全弁６２のコイルへの通電を停止することにより安全弁６２が閉止され、点消火ボタン１４を押し込んでバルブロッド６７により安全弁６２の弁体を後退させない限り安全弁６２が開放されない。なお、こんろ部２ａの場合には上述した容器検知制御により、調理容器が検知されていない時には、器具栓スイッチＳ１〜Ｓ３がＯＮとなっても点火装置２３は作動せず、安全弁６２のコイルには通電しない。
【００５２】
また更に、容器検知解除スイッチＳ４、Ｓ５がＯＮになる場合でも、器具栓スイッチＳ１〜Ｓ３がＯＮになる場合と同様に、電源から制御部４への給電が開始されると共に、電源保持信号により制御部４への給電が継続される。図１に示す左側の前面パネルＰ１に設けたこんろ用の調理設定部７（図２参照）の容器検知解除操作部１６ａを所定時間（例えば３秒）以上継続して押し操作すると、容器検知解除スイッチＳ４がＯＮとなると共にその上の表示部１７ａが点灯し、左側の前面パネルＰ１に設けたこんろ用の調理設定部７の容器検知解除操作部１６ｃを所定時間（例えば３秒）以上継続して押し操作すると、容器検知解除スイッチＳ５がＯＮとなると共にその上の表示部１７ｃが点灯する。
【００５３】
容器検知解除スイッチＳ４は、左側こんろバーナ３１を備えたこんろ部２ａでの容器検知制御を解除するスイッチであり、容器検知解除スイッチＳ５は、右側の高火力のこんろバーナ３１を備えたこんろ部２ａでの容器検知制御を解除するスイッチである。容器検知解除スイッチのＯＮが所定時間（例えば３秒）継続し制御部４に認識された時に、容器検知制御が解除されて解除モードに移行する。解除モードでは、容器検知制御がなされないため、こんろ部２ａの場合に調理容器が検知されていなくても、器具栓スイッチＳ１、Ｓ２がＯＮとなると点火装置２３が作動し、安全弁６２のコイルに通電される。更に本実施形態の解除モードでは、上述したように温度センサ２６により検知された調理容器の温度が所定の温度（例えば２５０℃）となった場合に安全弁６２を閉止する際の、前記所定の温度をそれよりも高い温度（例えば２９０℃）とし、所定の温度（例えば２５０℃）を超えた温度での調理が可能となる。解除モードは、１時間継続されて終了する。
【００５４】
加熱が開始されると、火力調節レバー１５を操作することで、所望の火力が得られる。なお、左側のこんろバーナ３１を備えたこんろ部２ａの火力調節レバー１５は、該こんろ部２ａの操作部を操作して点火を行う時、操作部の操作と連動して火力が中火力側に移動するようになっていて、点火時には中程度の火力となっている。
【００５５】
全ての点消火ボタン１４のスライダ６６を前位置にすると、メイン弁６３が閉止して消火し、器具栓スイッチＳ１〜Ｓ３がＯＦＦになり、安全弁６２が閉止すると共に電源保持信号の出力が停止して制御部４への給電が終了する。
【００５６】
次に、自動調理について説明する。ガスこんろ１の左側の前面パネルの下側には、図２に示すように、こんろ用の調理設定部７が設けてある。なお、ガスこんろ１の右側の前面パネルの右下の左側には、グリル用の調理設定部が設けてあるが細部については詳述しない。また、ガスこんろ１の右側の前面パネルの右下の右側には、マイクロコンピュータからなる制御部４の電源となる電池が収容される電池ケース１３が設けてある。
【００５７】
こんろ用の調理設定部７は、揚げもの、湯わかし、炊飯の自動調理のメニュー（オートメニュー）を設定するための一組のオートメニュー設定部７１及びオートメニュー表示部７２と、調理時間を設定するためのタイマ入力部７３及びタイマ表示７４とを備えている。オートメニュー設定部７１として、揚げものスイッチ７１ａと、湯わかしスイッチ７１ｂと、炊飯スイッチ７１ｃと、が設けてある。揚げものモードは、こんろバーナ３１の点火後、使用者により設定された温度に達するようにこんろバーナ３１の火力を自動調節する自動調理モードであり、揚げものスイッチ７１ａは、何回押すかで２００℃、１８０℃、１６０℃といった複数種類の揚げものの調理の中から目的とする温度の揚げもの調理が設定できると共に、揚げもの表示部７２ａに前記設定が表示されるようになっている。
【００５８】
また、湯わかしモードや炊飯モードは、こんろバーナ３１の点火後、予め設定された燃焼条件で燃焼させ、湯わかしや炊飯の完了が予測される時点で自動的にこんろバーナ３１を消火する自動調理モードである。湯わかしスイッチ７１ｂは、何回押すかで自動消火、５分保温といった、湯わかし後にすぐ消火するか、あるいは一定時間保温するかといった湯わかしを選択して設定できると共に、湯わかし表示部７２ｂに前記設定が表示されるようになっている。また、炊飯スイッチ７１ｃは、何回押すかでごはん、おかゆといった複数種類の炊飯の調理の中から目的とする炊飯の調理が設定できると共に、炊飯表示部７２ｃに前記設定が表示されるようになっている。
【００５９】
本発明の電池ケース１３は、図９、図１０に示すように、上方に開口する略矩形箱状をして、内部に電池が収納される合成樹脂製のケース本体８０で主体が構成される。そして、ケース本体８０の側壁の一部には、内部に収納される電池の＋極に接触する＋極側の接触端子８１が設けてある。ケース本体８０の側壁の前記＋極側の接触端子８１と対向する位置には、内部に収納される電池の−極に接触する−極側の接触端子８２が設けてある。
【００６０】
また、電池ケース１３が筐体１０内に収納された時に筐体１０内の＋極側の給電端子（図示せず）と−極側の給電端子（図示せず）とにそれぞれ接続される＋極側の接続端子８３と−極側の接続端子８４とが設けてあるとともに、＋極側の接触端子８１と＋極側の接続端子８３とを連結する＋極側の中継導体８５と、−極側の接触端子８２と−極側の接続端子８４とを連結する−極側の中継導体８６と、が設けてある。
【００６１】
＋極側の接触端子８１と＋極側の接続端子８３とこれらを連結する＋極側の中継導体８５とからなる＋極側の通電部材（図１１参照）は、薄い導体板を打ち抜いて曲げ加工して一体に形成してある。また、−極側の接触端子８２と−極側の接続端子８４とこれらを連結する−極側の中継導体８６とからなる−極側の通電部材も同様に、薄い導体板を打ち抜いて曲げ加工して一体に形成してある。
【００６２】
本実施形態では、平面視においてケース本体８０の長手方向の一端側の側壁８０ａに、−極側の接触端子８２と−極側の接続端子８４と−極側の中継導体８６と、＋極側の接続端子８３とが設けてある。
【００６３】
詳述すると、側壁８０ａには内面側に−極側の接続端子８４が固定され、該−極側の接続端子８４の下端からはケース本体８０の内方の上方に向けて−極側の中継導体８６が連設され、該−極側の中継導体８６の先端が−極側の接触端子８２となっている。−極側の接触端子８２は、−極側の接触端子８２・−極側の接続端子８４・−極側の中継導体８６の部材自体が有する弾性により、側壁８０ａからケース本体８０内方に向けて付勢されている。また、−極側の接続端子８４の上端部は、側壁８０ａの上端部からケース本体８０外方に向けて突出していて、ケース本体８０が筐体１０内に収納された時に−極側の給電端子と接続されるようになっている。
【００６４】
−極側の接触端子８２・−極側の接続端子８４・−極側の中継導体８６が設けてある側壁８０ａと対向する側壁８０ｂの内面側には、＋極側の接触端子８１が設けてある。
【００６５】
そして、＋極側の接続端子８３は、側壁８０ａの−極側の接続端子８４の上端部が突出する部分の下方（本実施形態では下端部）に設けてあり、＋極側の接触端子８１と＋極側の接続端子８３とを連結する＋極側の中継導体８５は、ケース本体８０の底壁８０ｃの下面に沿って設けてある。
【００６６】
上述した＋極側の接触端子８１と＋極側の接続端子８３と＋極側の中継導体８５と−極側の接触端子８２と−極側の接続端子８４と−極側の中継導体８６は、平面視において電池の＋極と−極とを結ぶ線上に位置するように設けてある。このようにすることで、＋極側の通電部材と−極側の通電部材はそれぞれ、展開形状が略直線状となり、導体板を打ち抜いて形成する際の材料取りの効率が良くなり、展開形状が略コ字状になったりする場合のように材料取りの効率が悪くて材料の無駄が大きくなってしまう、といったことがない。以下、＋極側の通電部材について詳述する。
【００６７】
底壁８０ｃの側壁８０ｂの直ぐ内方の部分には、＋極側の通電部材が挿通する挿通口８７が形成してあり、＋極側の中継導体８５の端部から連設される＋極側の接触端子８１が挿通口８７を介してケース本体８０内に挿入され、側壁８０ｂの内面に沿って配設される。＋極側の接触端子８１は、側壁８０ｂの上端部で側壁８０ｂの外面に折り返していて、これにより、＋極側の接触端子８１が挿通口８７から底壁８０ｃの下側に抜けるのが防止される。
【００６８】
＋極側の中継導体８５は、図１０、図１１に示すように長手方向に沿う両側の端縁に、間隔をあけて複数の切欠８８が形成してあり、一方、底壁８０ｃの下面にも前記切欠８８に対応するように押さえ片８９が形成してある。押さえ片８９は、＋極側の中継導体８５の長手方向に沿う両側の端縁の外側から＋極側の中継導体８５の内部に向けて突出して＋極側の中継導体８５の下面を押さえるもので、＋極側の中継導体８５が、＋極側の中継導体８５の切欠８８と押さえ片８９とが平面視において重なるように位置して、＋極側の中継導体８５が押さえ片８９と干渉せずに押さえ片８９の下側に抜けることができ、＋極側の中継導体８５が前記位置から長手方向にずれると、＋極側の中継導体８５と押さえ片８９とが干渉して＋極側の中継導体８５が下側に抜けない。この切欠８８と押さえ片８９とが、一方の極側の中継導体８５又は８６（本実施形態では＋極側の中継導体８５）が底壁８０ｃの下面から離れないようにする抜け止め手段となっている。
【００６９】
また＋極側の中継導体８５は、底壁８０ｃの下面の側壁８０ａの部分で側壁８０ａの外面に沿って折り曲げられ、側壁８０ａの外面の途中で側壁８０ａから離れる方に更に折り曲げられ、側壁８０ａから離れる方に突出する部分が＋極側の接続端子８３となる。側壁８０ａの外面には、図１０に示すように、＋極側の接続端子８３の上面に当接する当接片９０と、当接片９０から下方に突出する略Ｌ字状をした保持片９１が突設してある。保持片９１は、当接片９０の＋極側の接続端子８３の長手方向に沿う両側の端縁から下方に突出する略Ｌ字状をしており、＋極側の接続端子８３の長手方向に沿う両側の端縁の下面を保持する。＋極側の中継導体８５の側壁８０ａの外面に沿う部分には、保持片９１に対応する位置に切欠９２が形成してあり、＋極側の中継導体８５及び＋極側の接続端子８３を、側壁８０ａの外面から離れた位置から側壁８０ａの外面に近づけると、＋極側の中継導体８５に形成した前記切欠９２を保持片９１が挿通し、＋極側の中継導体８５を側壁８０ａの外面に沿わせることができる。またこの時、＋極側の中継導体８５及び＋極側の接続端子８３を、側壁８０ａの外面から離れないように係止する係止部９３及び被係止部９４が設けてある。係止部９３は、＋極側の接続端子８３の一部を＋極側の中継導体８５側を基部として＋極側の中継導体８５と反対側を切り起こして形成してあり、被係止部９４は、当接片９０の一部を開口して形成してある。＋極側の接続端子８３を当接片９０の下面に沿って側壁８０ａの外面に近づけていくと、＋極側の中継導体８５が側壁８０ａの外面に沿った時に係止部９３が被係止部９４に係止され、＋極側の中継導体８５及び＋極側の接続端子８３が側壁８０ａの外面から離れる方に動かなくなり、＋極側の中継導体８５及び＋極側の接続端子８３のケース本体８０からの抜け止めがなされる。
【００７０】
この＋極側の通電部材をケース本体８０に取り付けるには、図１２（ａ）に示すように、まず、＋極側の接触端子８１を底壁８０ｃの下面側より挿通口８７からケース本体８０内に一部挿入する。そして、＋極側の中継導体８５の切欠８８と押さえ片８９の位置を合わせて、＋極側の中継導体８５が押さえ片８９と干渉しないように押さえ片８９の上側に挿通させて底壁８０ｃの下面に＋極側の中継導体８５を沿わせ、＋極側の接触端子８１を挿通口８７からケース本体８０内に全部挿入させる。その時、図１２（ｂ）に示すように、＋極側の中継導体８５を側壁８０ｂの方にずらすことにより、切欠８８と押さえ片８９の位置がずれて＋極側の中継導体８５が底壁８０ｃの下面から離れなくなる。その後、＋極側の接触端子８１を側壁８０ｂの上端部で側壁８０ｂの外面側に折り返すことにより＋極側の接触端子８１が側壁８０ｂに固定される。
【００７１】
＋極側の中継導体８５が側壁８０ｂの方にずれると、＋極側の中継導体８５の折り返した部分及び＋極側の接続端子８３が側壁８０ａの外面に近づき、＋極側の中継導体８５に形成した切欠９２を保持片９１が挿通し、＋極側の中継導体８５が側壁８０ａの外面に沿うとともに、係止部９３が被係止部９４に係止され＋極側の通電部材のケース本体８０からの抜け止めがなされる。
【００７２】
また、＋極側の中継導体８５の下面にカバー９５を設けることで、＋極側の中継導体８５が金属と接触して短絡したりするのを防止することができる。
【００７３】
なお本実施形態では、筐体１０をガスこんろ１の筐体１０として説明したが、電池をメモリのバックアップ電源として用いる電磁調理器等の他の種類の加熱調理器の筐体であってもよく、更には加熱調理器以外の筐体にも適用可能である。
【００７４】
上記実施形態では、＋極側を一方の極側として説明したが、−極側を一方の極側とする形態にも勿論適用可能である。
【符号の説明】
【００７５】
１０  筐体
１３  電池ケース
８０  ケース本体
８０ａ  側壁
８０ｂ  側壁
８０ｃ  底壁
８１  ＋極側の接触端子
８２  −極側の接触端子
８３  ＋極側の接続端子
８４  −極側の接続端子
８５  ＋極側の中継導体
８６  −極側の中継導体
８７  挿通口
８８  切欠
８９  押さえ片
９０  当接片
９１  保持片
９２  切欠
９３  係止部
９４  被係止部
９５  カバー
【図１】
0005411628.tif 000003
【図２】
0005411628.tif 000004
【図３】
0005411628.tif 000005
【図４】
0005411628.tif 000006
【図５】
0005411628.tif 000007
【図６】
0005411628.tif 000008
【図７】
0005411628.tif 000009
【図８】
0005411628.tif 000010
【図９】
0005411628.tif 000011
【図１０】
0005411628.tif 000012
【図１１】
0005411628.tif 000013
【図１２】
0005411628.tif 000014